(57)【要約】【課題】出来高に対する施工者側と管理者側双方の認識の共通性をより高めるような客観性の高い出来高情報を与えることを可能とする出来高管理システムの提供。【解決手段】施工者側が進める工事の進捗状態を管理するのに用いられる出来高管理システムについて、出来高管理対象の工事に関するＣＡＤモデルを含むＣＡＤモデル包含データＤ３を管理者側が施工者側に提供し、施工者側はＣＡＤモデル包含データに工事の実際の進捗状態に関する工事進捗状態データＤ１６を重ね合わせてＣＡＤモデルベース工事進捗状態データＤ１７を作成し、このＣＡＤモデルベース工事進捗状態データを用いて管理者側に対する工事進捗状態の検収申請を行えるようにしている。【選択図】    図１
2007328434.tif 000002
【特許請求の範囲】
【請求項１】
施工者側が進める工事の進捗状態を管理するのに用いられる出来高管理システムにおいて、
出来高管理対象の工事に関するＣＡＤモデルを含むＣＡＤモデル包含データを管理者側が前記施工者側に提供し、前記施工者側は前記ＣＡＤモデル包含データに工事の実際の進捗状態に関する工事進捗状態データを重ね合わせてＣＡＤモデルベース工事進捗状態データを作成し、このＣＡＤモデルベース工事進捗状態データを用いて前記管理者側に対する工事進捗状態の検収申請を行えるようにされていることを特徴とする出来高管理システム。
【請求項２】
前記ＣＡＤモデル包含データとして、前記ＣＡＤモデルに工事の作業単位ごとの進捗計画に関する作業工程をリンクさせて作成されるＣＡＤモデル・作業工程リンクデータを用いるようにしたことを特徴とする請求項１に記載の出来高管理システム。
【請求項３】
前記ＣＡＤモデルに前記作業工程をリンクさせてＣＡＤモデル・作業工程リンクデータを作成するリンク処理部を備えるとともに、前記工事進捗状態データを前記ＣＡＤモデル・作業工程リンクデータに重ね合わせて前記ＣＡＤモデルベース工事進捗状態データを作成する工事進捗状態データ作成部を備えていることを特徴とする請求項２に記載の出来高管理システム。
【請求項４】
ＣＡＤモデルとして３次元ＣＡＤモデルを用いるようにされていることを特徴とする請求項１〜請求項３のいずれか１項に記載の出来高管理システム。
【発明の詳細な説明】
【技術分野】
【０００１】
本発明は、プラント工事や建設工事あるいは土木工事などの様々な工事における出来高管理で用いられる出来高管理システムに関する。
【背景技術】
【０００２】
プラント工事や建設工事あるいは土木工事などの各種工事、特にプラント工事などの大型工事では、発注者側（管理者側）の設計管理の下で工事の施工を請け負う受注者側（施工者側）が所定の工事進行計画に基づいて工事を進め、その工事の進捗に関して出来高管理を行うことが広くなされている。出来高管理では、予定の進捗状態と実際の進捗状態の関係、及び工事の進捗に応じて施工者側で実際に要した費用である実際原価と管理者側で予定した費用である実行予算の関係などが管理される。例えば、施工者側は月単位で工事の進捗実績を検収申請するとともに実際原価による費用を請求し、管理者側はその申請を査定し、工事が予定通りに進捗しており、請求費用が実行予算との関係で問題なしとすれば、査定を確定して費用の支払いをする。こうした出来高管理に関しては、例えば特許文献１や特許文献２に開示の例が知られている。
【０００３】
ここで、上記のような工事においては、工事途中で部分的な設計変更がなされることが少なからずある。そうした設計変更は、それによる実際原価の変動を実行予算の余裕代で吸収できる程度の範囲でなされるのが一般的であるが、管理者側の予想を超えた実際原価の増大を招く場合もある。そのような場合には、実行予算を超えた費用請求が施工者側から管理者側に請求されることになる。そうなると、管理者側では請求費用の妥当性を検討したり、施工者側に請求費用の減額を交渉したりするなどの作業が必要となり、その間は工事が停止するような事態を生じ、そのために工事の遅延を招く結果となったり、さらには管理者側にショートを招く結果になったりすることもある。
【０００４】
【特許文献１】特許３２６２５２２号公報
【特許文献２】特開平９−２６９９５号公報
【発明の開示】
【発明が解決しようとする課題】
【０００５】
本発明の発明者等は、上記のような設計変更などに伴う工事の遅延や資金ショートなどの問題について、出来高管理のありかたを詳細に検討した。その結果、進捗した工事の作業量などの出来高についての施工者側と管理者側双方の認識の共通性に問題のあることが分かった。すなわち設計変更で増加した作業量などについての施工者側と管理者側で認識に食い違いがあり、それが施工者側からの請求費用などに対する管理者側の判断に齟齬をもたらし、そのために施工者側に請求費用の減額を交渉したりするなどの作業が必要となる事態を招くことになっていた、ということである。このことから、施工者側と管理者側双方でより客観性の高い出来高認識をできるようにする出来高情報、つまり工事の出来高について具体的なイメージを管理者側でも容易に得られるような出来高情報を施工者側と管理者側双方で共有できるようにすることができれば、設計変更などに伴う工事の遅延や資金ショートなどの問題を効果的に避けることが可能であるといえる。
【０００６】
本発明は、このような知見に基づいてなされたものであり、出来高に対する施工者側と管理者側双方の認識の共通性をより高めるような客観性の高い出来高情報を与えることを可能とする出来高管理システムの構築を課題としている。
【課題を解決するための手段】
【０００７】
本発明では上記課題を解決するために、施工者側が進める工事の進捗状態を管理するのに用いられる出来高管理システムにおいて、出来高管理対象の工事に関するＣＡＤモデルを含むＣＡＤモデル包含データを管理者側が前記施工者側に提供し、前記施工者側は前記ＣＡＤモデル包含データに工事の実際の進捗状態に関する工事進捗状態データを重ね合わせてＣＡＤモデルベース工事進捗状態データを作成し、このＣＡＤモデルベース工事進捗状態データを用いて前記管理者側に対する工事進捗状態の検収申請を行えるようにされていることを特徴としている。
【０００８】
このように、出来高管理対象の工事に関するＣＡＤモデルをベースにして作成されるＣＡＤモデルベース工事進捗状態データを用いて工事進捗状態の検収申請を行えるようにしたことから、管理者側では、工事進捗状態の検収にあたって、工事の内容や進捗状態をイメージ的に把握することができるようになる。そのため、出来高に対する施工者側と管理者側双方の認識の共通性をより高めることができる。
【０００９】
また本発明では上記のような出来高管理システムについて、前記ＣＡＤモデル包含データとして、前記ＣＡＤモデルに工事の作業単位ごとの進捗計画に関する作業工程をリンクさせて作成されるＣＡＤモデル・作業工程リンクデータを用いるようにしている。
【００１０】
このようにＣＡＤモデル・作業工程リンクデータを用いるようにすることにより、ＣＡＤモデルベース工事進捗状態データの作成が容易になり、また工事進捗状態の把握がより容易となる。
【００１１】
また本発明では上記のような出来高管理システムについて、前記ＣＡＤモデルに前記作業工程をリンクさせてＣＡＤモデル・作業工程リンクデータを作成するリンク処理部を備えるとともに、前記工事進捗状態データを前記ＣＡＤモデル・作業工程リンクデータに重ね合わせて前記ＣＡＤモデルベース工事進捗状態データを作成する工事進捗状態データ作成部を備えた構成とするものとしている。
【００１２】
また本発明では上記のような出来高管理システムについて、イメージ的可視化効果をより高めることができるようにするために、ＣＡＤモデルとして３次元ＣＡＤモデルを用いるようにしている。
【発明の効果】
【００１３】
以上のような本発明によれば、出来高に対する施工者側と管理者側双方の認識の共通性をより高めるような客観性の高い出来高情報を与えることを可能となる。
【発明を実施するための最良の形態】
【００１４】
以下、本発明を実施するための形態について説明する。図１に一実施形態による出来高管理システム１の構成を示す。出来高管理システム１は、コンピュータやその周辺機器とコンピュータに組み込まれるコンピュータプログラムで構成され、出来高管理部２、申請部３、及び情報公開部４を備えている。こうした出来高管理システム１の運用は、工事の内容や進捗状態をイメージ的に可視化する情報として出来高管理対象の工事に関するＣＡＤモデルを包含して同一ファイル形式で作成される各種電子ファイルの授受を通じて行われる。
【００１５】
出来高管理部２は、ＣＡＤモデルデータベース部１１、作業工程データベース部１２、ＣＡＤモデル／作業工程リンク処理部１３、公開情報データベース部１４、検収申請受付／査定登録部１５、作業工程シミュレータ部１６、及び取引決済処理部１７を備えている。
【００１６】
ＣＡＤモデルデータベース部１１は、外部から入力されるＣＡＤモデルのデータＤ１を格納する。ＣＡＤモデルデータＤ１は、ＣＡＤシステムで作成された出来高管理対象工事に関する設計モデルである。ＣＡＤモデルデータＤ１には、イメージ的可視化効果をより高めことができるように、３次元の設計モデルつまり３Ｄ−ＣＡＤモデルを用いる。またＣＡＤモデルデータＤ１は、出来高管理対象工事をその種類、例えばプラント工事であれば、建屋工事、装置設置工事、配管工事、配線工事などのような工事種類に基づく作業ブロックを単位とする作業ブロック化ＣＡＤモデルデータの形態をとる。つまりＣＡＤモデルデータＤ１は、作業ブロック化ＣＡＤモデルデータとしてＣＡＤモデルデータベース部１１に入力されるのが通常である。こうしたＣＡＤモデルデータＤ１は、工事の進行中になされることのある設計変更に応じて変更される。
【００１７】
作業工程データベース部１２は、外部から入力される作業工程のデータＤ２を格納する。作業工程データＤ２は、工事施工の上での作業単位にその作業完了予定期日を組み合わせたデータである。ここで、作業単位とは、上記工事の作業ブロックをツリー構造的に階層化して得られる作業の単位で、階層ごとにあり、最下位の階層における作業の単位が最小作業単位となる。そうした工事のツリー構造的階層化は、ＷＢＳ（Work Breakdown Structure）と呼ばれている。こうした作業工程データＤ２は、出来高管理対象工事の設計管理を担う管理者により作成される。そして作業工程データＤ２は、管理者により定期的に見直され、必要ならば変更され、その変更された作業工程データＤ２が作業工程データベース部１２に新たに入力される。作業工程データＤ２の定期的に見直しは、例えば１ヶ月単位でなされる後述の検収を基準にして行われる。
【００１８】
ＣＡＤモデル／作業工程リンク処理部１３は、ＣＡＤモデルデータＤ１に作業工程データＤ２をリンクさせる処理を行い、ＣＡＤモデル包含データとしてＣＡＤモデル・作業工程リンクデータＤ３を作成して出力する。またＣＡＤモデル／作業工程リンク処理部１３は、ＣＡＤモデル・作業工程リンクデータＤ３に基づいて工事施工引合ファイルＤ４や工事発注ファイルＤ５を作成して出力する。ＣＡＤモデル・作業工程リンクデータＤ３は、上述のようにＣＡＤモデルデータＤ１や作業工程データＤ２が変更された場合にはそれに応じて変更される。こうしたＣＡＤモデル／作業工程リンク処理部１３の詳細については後述する。ここで、ＣＡＤモデル・作業工程リンクデータＤ３は、上述のようにＣＡＤモデルデータＤ１が作業ブロック化ＣＡＤモデルデータとなるっている場合には、作業ブロック化ＣＡＤモデル・作業工程リンクデータとなる。
【００１９】
このようにＣＡＤモデルデータＤ１と作業工程データＤ２をリンクさせてＣＡＤモデル・作業工程リンクデータＤ３を作成し、これをＣＡＤモデル包含データとして用いるようにすることにより、後述のＣＡＤモデルベース工事進捗状態データの作成が容易になり、またそのＣＡＤモデルベース工事進捗状態データによる工事進捗状態の把握がより容易となる。
【００２０】
公開情報データベース部１４は、管理者、施工者及び工事の最終顧客などに情報公開部４で公開する情報を格納する。その公開情報としては、出来高管理部２で作成される各種データの内の工事の進捗や検収実績などに関する情報が主なものである。
【００２１】
検収申請受付／査定登録部１５は、工事施工者が後述のＣＡＤモデルベース工事進捗状態データを包含した検収申請ファイル（検収申請データ）Ｄ６で行う検収申請を受け付ける申請受付部として機能し、また検収申請ファイルＤ６による検収申請について工事管理者が行った査定結果を査定ファイル（査定データ）Ｄ７として登録して出力する査定登録部としても機能する。
【００２２】
作業工程シミュレータ部１６は、作業の進捗に応じた作業工程の見直しのためのシミュレーションを行なう。作業工程見直しシミュレーションは、ＣＡＤモデル・作業工程リンクデータＤ３、検収申請データＤ６、査定データＤ７及び作業工程の見直しについての条件に関する作業工程見直し条件データＤ８などを用いて行われる。この作業工程シミュレータ部１６からは、作業工程見直しシミュレーションに基づいて、検収／作業工程予測データＤ９が公開情報データベース部１４に出力されるとともに、予測作業工程データＤ１０が外部に出力される。
【００２３】
検収／作業工程予測データＤ９は、検収申請データＤ６に含まれる工事進捗実績に基づいた作業工程見直しシミュレーションで得られる作業工程予測を検収実績と関連させたデータであり、公開情報データベース部１４に蓄積され、情報公開部４で公開される情報に用いられる。予測作業工程データＤ１０は、検収時以降の作業工程を作業工程見直しシミュレーションで予測して得られるデータであり、外部に出力され、検収がなされる度に管理者が作業工程を見直す際の参考として用いられる。このように予測作業工程データＤ１０を利用できるようにすることにより、管理者は、より効率的に作業工程の見直しを行うことができるようになる。
【００２４】
また作業工程シミュレータ部１６は、実際の進捗状態と予定進捗状態の関係から作業遅延や納期遅延につながる兆候がある場合にはそれについての警報を出すための作業遅延・納期遅延警報指示Ｄ１１を出力する。作業遅延・納期遅延警報指示Ｄ１１が出力されて警報が発せられた場合には、作業遅延などを回避する策を管理者が立て、それが作業工程見直し条件データＤ８として再入力され、それに基づいて再度の作業工程見直しシミュレーションが行われ、推奨作業工程データＤ１２が出力される。推奨作業工程データＤ１２は、作業遅延などを回避する作業工程見直し条件データＤ８に基づいてなされた作業工程見直しシミュレーションにより、作業遅延などの回避に推奨できるとされる作業工程を記述するデータであり、外部に出力され、管理者が作業遅延などの回避のために作業工程を見直す際の参考として用いられる。
【００２５】
取引決済処理部１７は、検収申請された進捗工事分について支払いに関する許可条件Ｄ１３を生成してそれを外部に出力するとともに、検収実績情報Ｄ１４を公開情報データベース部１４に出力する。支払いは電子決済で行うのが通常で、電子決済の場合、支払い許可条件Ｄ１３は、電子決済の支払い許可条件となる。取引決済処理部１７による支払い許可条件Ｄ１３や検収実績情報Ｄ１４の生成は、検収申請データＤ６、査定データＤ７及び検収における最終的な査定の確定を指示する査定確定Ｄ１５の入力を受けて行われる。
【００２６】
申請部３は、施工者側が管理者側に提出する各種申請データの作成に機能し、工事進捗状態データ作成部２１と申請データ作成部２２を備えている。
【００２７】
工事進捗状態データ作成部２１は、工事の実際の進捗状態に関するデータとして施工者により入力される現地工事ステータスデータつまり工事進捗状態データＤ１６をＣＡＤモデル・作業工程リンクデータＤ３に重ね合わせることで、ＣＡＤモデルをベースにしたＣＡＤモデルベース工事進捗状態データＤ１７を作成するのに機能する。工事進捗状態データＤ１６をＣＡＤモデル・作業工程リンクデータＤ３に重ね合わせる処理には、例えばＣＡＤモデル・作業工程リンクデータＤ３を工事進捗状態に応じて色付けするなどの手法を用いることができる。
【００２８】
申請データ作成部２２は、工事応札ファイルＤ１８や検収申請ファイルＤ６を作成するのに機能する。工事応札ファイルＤ１８は、工事施工引合ファイルＤ４による工事施工の引合いを受け、それに応札する場合に、工事施工引合ファイルＤ４に対応するファイル形式で作成される。検収申請ファイルＤ６は、ＣＡＤモデルベース工事進捗状態データＤ１７を包含する検収申請用データとして所定のファイル形式で作成される。
【００２９】
情報公開部４は、出来高管理部２で作成される各種データの内の工事の進捗状態（ステータス）や検収実績などに関する情報を管理者と施工者さらには工事の最終顧客に対して公開する。そのために情報公開部４は、工事進捗状態情報公開部２３と検収／作業工程予測／実績情報公開部２４を備えている。工事進捗状態情報公開部２３は、ＣＡＤモデルベース工事進捗状態データＤ１７を包含する所定のファイル形式による工事進捗状態情報Ｄ１９を公開情報データベース部１４から得て公開する。一方、検収／作業工程予測／実績情報公開部２４は、検収／作業工程予測／実績情報Ｄ２０を公開情報データベース部１４から得て公開する。こうした情報公開部４は、情報公開用のサーバを用いて情報公開を行う。
【００３０】
以下では、ＣＡＤモデル／作業工程リンク処理部１３の詳細について説明する。図２にＣＡＤモデル／作業工程リンク処理部１３の構成を示す。ＣＡＤモデル／作業工程リンク処理部１３の基本的な機能は、ＣＡＤモデルデータＤ１に作業工程データＤ２をリンクさせてＣＡＤモデル・作業工程リンクデータＤ３を作成することにある。本実施形態では、この機能に加えて、工事施工引合ファイルＤ４と工事発注ファイルＤ５を作成する機能も負わせている。そのために、ＣＡＤモデル／作業工程リンク処理部１３は、前処理部３１、リンク処理部３２、作業量集計部３３、リンク処理部データベース部３４、電子ファイル入力部３５、及び電子ファイル作成部３６を備えている。
【００３１】
前処理部３１は、ＣＡＤモデルデータＤ１にＷＢＳ処理を施す。すなわち、工事についてのＣＡＤモデルを上述の作業工程データＤ２における作業単位に対応する作業単位、つまりツリー構造的な階層化による作業単位で区画し、そのツリー構造的階層化作業単位をＣＡＤモデルデータＤ１に重ねてＷＢＳ化ＣＡＤモデルデータＤ１-ｗを生成し、これをリンク処理部３２に提供する。
【００３２】
リンク処理部３２は、前処理部３１から提供されるＣＡＤモデルデータＤ１（ＷＢＳ化ＣＡＤモデルデータＤ１-ｗ）と作業工程データベース部１２から取り込む作業工程データＤ２のリンク付けを行ってＣＡＤモデル・作業工程リンクデータＤ３を生成し、これをリンク処理部データベース部３４に出力する。リンク処理部３２によるリンク付けは、作業工程データＤ２に含まれている作業単位ごとの作業完了予定期日を適宜な形態でＷＢＳ化ＣＡＤモデルデータＤ１-ｗに重ねるなどしてなされる。リンク処理部３２は、作業量集計用データＤ２１も生成し、それを作業量集計部３３に提供する。作業量集計用データＤ２１は、ＣＡＤモデルデータＤ１における上述の最小作業単位のそれぞれに付与されている、例えば溶接点やサポート取り付けなどのような定型作業の属性などについてのデータである。
【００３３】
作業量集計部３３は、工事の施工における作業量、特に定型作業の作業量を作業量集計用データＤ２１に基づいて集計して作業量集計データＤ２２を作成し、それをリンク処理部データベース部３４に出力する。
【００３４】
リンク処理部データベース部３４は、ＣＡＤモデル・作業工程リンクデータＤ３や作業量集計データＤ２２などを格納・蓄積し、それらのデータを求めに応じて提供する。
【００３５】
電子ファイル入力部３５は、外部から入力される検収申請ファイルＤ６や工事応札ファイルＤ１８などの電子ファイルを受け付ける。
【００３６】
電子ファイル作成部３６は、ＣＡＤモデル・作業工程リンクデータＤ３や作業量集計データＤ２２などを用いて工事施工引合ファイルＤ４や工事発注ファイルＤ５を電子ファイルとして作成する。これらの電子ファイルは、出来高管理システム１で扱われる他の各種電子ファイル（検収申請ファイルＤ６や工事応札ファイルＤ１８など）と共通のファイル形式とされる。
【００３７】
図３に、出来高管理システム１で扱われる電子ファイル４０の構成例を工事施工引合ファイルＤ４について示す。この電子ファイル４０のファイル形式は、他の各種電子ファイルでも基本的に共通であり、ヘッダ４１、イメージデータ４２、定型作業明細４３、非定型作業明細４４、施工実務者ステータスデータ４５、施工実務者テキストデータ４６、現場責任者査定ステータスデータ４７、及び現場責任者査定テキストデータ４８の各欄を含んでいる。
【００３８】
ヘッダ４１には、ＣＡＤモデル作業ブロックコード、ＷＢＳ、工事完了日、発注日、発注番号、発注者コード、受注番号、工事施工者コードなどのフィールがあり、これらのデータが記録される。
【００３９】
イメージデータ４２には、ヘッダ４１におけるＣＡＤモデル作業ブロックコードに記録された作業ブロックについてのＣＡＤモデル・作業工程リンクデータＤ３やＣＡＤモデルベース工事進捗状態データＤ１７が記録される。このイメージデータ４２は、図に示す例のように、ツリー構造的階層化による作業単位をツリー構造のノード４９として表示し、このノード４９を表示画面上でクリックすることにより作業単位レベルでＣＡＤモデル・作業工程リンクデータＤ３やＣＡＤモデルベース工事進捗状態データＤ１７を表示させることができるようにされている。
【００４０】
定型作業明細４３には、予めＣＡＤモデルデータＤ１に盛り込める定型作業の属性から作業量集計部３３で自動集計された作業量集計データＤ２２が明細として記録される。この定型作業明細４３は、定型作業項目、物量、標準コストなどのフィールドを含む。
【００４１】
非定型作業明細４４には、例えばアライメント調整や防振対策などのような非定型業務についての記録が管理者・施工者双方によるマニュアル操作でなされる。
【００４２】
施工実務者ステータスデータ４５には、工事の施工実務を遂行する施工実務者により工事のステータス（工事進捗状態）が記録される。その記録は、自動的にＣＡＤモデル・作業工程リンクデータＤ３ないしＣＡＤモデルベース工事進捗状態データＤ１７に反映される。この施工実務者ステータスデータ４５は、見積デビエーション、工事デビエーション、工事着手、工事完了、検査完了、工事トラブル、工程遅延などのフィールを含む。
【００４３】
施工実務者テキストデータ４６には、施工実務者が必要に応じてテキストデータを入力する。
【００４４】
現場責任者査定ステータスデータ４７には、施工実務者が遂行する施工実務を監督管理する現場責任者が施工実務者からの進捗状態報告に対して行う査定に関するデータが記録される。その記録は、自動的にＣＡＤモデル・作業工程リンクデータＤ３ないしＣＡＤモデルベース工事進捗状態データＤ１７に反映される。この現場責任者査定ステータスデータ４７は、検収完了、拒絶査定、工事凍結、支払完了、支払未完などのフィールドを含む。
【００４５】
現場責任者査定テキストデータ４８には、現場責任者が必要に応じてテキストデータを入力する。
【００４６】
ここで、施工者側には、施工実務者と現場責任者があり、施工実務者からの進捗状態報告を現場責任者が査定し、それを受け入れれば、それに基づいて現場責任者が検収申請ファイルＤ６を作成して検収申請を管理者に対して行うことになる。
【００４７】
次に、出来高管理システム１の運用、つまり出来高管理システム１による出来高管理方法について説明する。出来高管理は、その基本として、管理者側と施工者側の関与の下で、工事の内容や進捗状態をイメージ的に可視化する情報として出来高管理対象の工事に関するＣＡＤモデルを包含して上述のようなファイル形式を共通に作成される各種電子ファイルの授受を通じて行われる。
【００４８】
また出来高管理で基本的に必要とされる処理は、予定の進捗状態と実際の進捗状態の関係、及び工事の進捗に応じて施工者側で実際に要した費用である実際原価と管理者側で予定した費用である実行予算の関係について処理である。すなわち、施工者側が例えば月単位で工事の進捗実績を検収申請するとともに実際原価による費用を請求し、申請された進捗実績を管理者側が検収し、管理者側がその申請を査定し、工事が予定通りに進捗しており、請求費用が実行予算との関係で問題なしとすれば費用の支払いをする、という処理が出来高管理で基本的に必要とされる処理である。本実施形態の出来高管理システム１では、こうした基本的な出来高管理をなす機能に加えて、それに関連する処理である工事施工引合い、工事応札、工事発注、情報開示、作業工程見直しなどの各処理についても共通ファイル形式の電子ファイルによる処理などを行うための機能も有している。以下では、出来高管理システム１で行われるこれらの各処理について順次説明する。
【００４９】
出来高管理システム１の運用においては、まず工事の施工開始までの処理が進められる。工事施工開始までには、工事施工引合い、工事応札、工事発注の各処理が行われる。これらの処理に先立っては、イメージ的可視化情報の基になるＣＡＤモデル・作業工程リンクデータＤ３を作成する。ＣＡＤモデル・作業工程リンクデータＤ３の作成は、ＣＡＤモデル／作業工程リンク処理部１３において上述のようにしてなされる。すなわち、前処理部３１により、ＣＡＤモデルデータベース部１１から取り出したＣＡＤモデルデータＤ１にＷＢＳ処理を施してＷＢＳ化ＣＡＤモデルデータＤ１-ｗを作成し、このＷＢＳ化ＣＡＤモデルデータＤ１-ｗにリンク処理部３２が作業工程データベース部１２からの作業工程データＤ２のリンク付けを行ってＣＡＤモデル・作業工程リンクデータＤ３を作成する。またＣＡＤモデル／作業工程リンク処理部１３では、ＣＡＤモデル・作業工程リンクデータＤ３の作成と同時に、作業量集計用データＤ２１も作成される。これらのデータの作成は、上述の作業ブロックを単位として行われる。
【００５０】
ＣＡＤモデル・作業工程リンクデータＤ３や作業量集計用データＤ２１が作成されると、これらのデータを取り込んだ工事施工引合ファイルＤ４がＣＡＤモデル／作業工程リンク処理部１３により作成される。作成された工事施工引合ファイルＤ４は、入札参加者（工事施工業者）にインターネットのような通信網などを通じて送られる。
【００５１】
工事施工引合ファイルＤ４を受け取った入札参加者は、工事施工引合ファイルＤ４のイメージデータ４２におけるＣＡＤモデル・作業工程リンクデータＤ３や定型作業明細４３における作業量集計用データＤ２１などによって工事のスコープ、つまり当該入札参加者が分担することができる工事ブロックや作業単位を確認し、デビエーションを検討する。ここで、デビエーションとは、発注側が要求する工事内容と受注側が遂行可能な工事内容との偏差のことである。例えば発注側が「１０」の内容の工事を要求しているのに対して、受注側で遂行可能な工事内容が「８」であると、「２」の偏差があることになるが、これがデビエーションとなる。スコープの確認とデビエーションの検討を終えて応札するとした場合、入札参加者は、デビエーションがあれば、それについてのデータをテキスト形式などで入力して工事応札ファイルＤ１８を作成し、それを管理者（この時点では発注者）に送る。
【００５２】
工事応札ファイルＤ１８を受け取った管理者は、それの内容を確認し、当該応札希望者を選定するとしたら、工事発注ファイルＤ５を作成し、それを当該応札希望者に送る。この際、工事応札ファイルＤ１８にデビエーションがあり、それを受け入れる場合、必要であれば、そのデビエーションを反映させてＣＡＤモデル・作業工程リンクデータＤ３や作業量集計用データＤ２１の変更を行う。工事発注ファイルＤ５は、工事の発注についての契約内容となる。そして、工事発注以後の工事の進捗に伴って管理者と施工者の間で生じる各種交渉などの結果として工事の設計変更とそれに伴うＣＡＤモデル・作業工程リンクデータＤ３の変更などがなされた場合には、その変更履歴が工事発注ファイルＤ５に反映される。
【００５３】
以上のようにして確定した施工者に工事発注がなされて工事の施工が開始されると、以後は、施工者側が例えば月単位で工事の進捗状態を検収申請するとともに実際原価による費用を請求し、管理者側は申請された進捗状態や費用請求を査定し、工事が予定通りに進捗しており、請求費用が実行予算との関係で問題なしとすればその支払いをする、といった出来高管理が工事の完了まで繰り返される。
【００５４】
施工者による工事進捗状態の検収申請は、検収申請ファイルＤ６を作成して管理者に送ることでなされる。検収申請ファイルＤ６の作成は、上述のように申請部３を利用して行い、その際には、検収対象ＣＡＤモデル作業ブロック検索指令Ｄ２３を入力して検収対象のＣＡＤモデル作業ブロックについてのＣＡＤモデル・作業工程リンクデータＤ３を公開情報データベース部１４から工事進捗状態データ作成部２１に取り込む。そして工事進捗状態データＤ１６を入力し、それをＣＡＤモデル・作業工程リンクデータＤ３に重ね合わせてＣＡＤモデルベース工事進捗状態データＤ１７を作成する。
【００５５】
検収申請ファイルＤ６を受け取った管理者は、それを検収のために査定する。その検収においては、検収申請ファイルＤ６に含まれているＣＡＤモデルベース工事進捗状態データＤ１７などで実際の進捗状態を把握してそれを予定の進捗状態と比較し、また施工者からの請求費用（実際原価）を実行予算と比較し、問題なしとすれば査定を確定して査定確定Ｄ１５を取引決済処理部１７入力する。
【００５６】
検収において検収申請ファイルＤ６でＣＡＤモデルベース工事進捗状態データＤ１７を参照するには、検収申請ファイルＤ６におけるイメージデータ４２の欄でノード４９をクリックすることにより作業単位レベルでＣＡＤモデルベース工事進捗状態データＤ１７を表示させる。ＣＡＤモデルベース工事進捗状態データＤ１７は、ＣＡＤモデルをベースにしたデータであり、出来高に対する施工者側と管理者側双方の認識の共通性をより高めるような客観性の高い出来高情報を与え、特に部分的な設計変更などがあった場合に、その設計変更部分の作業量などについて具体的なイメージをもって認識の共通性を高めるような出来高情報を与える。このため管理者側では、設計変更などに伴う工事の遅延や資金ショートなどの問題を効果的に避けることが可能となる。
【００５７】
査定確定Ｄ１５の入力を受けた取引決済処理部１７は、検収申請された進捗工事分について支払いに関する許可条件Ｄ１３を生成してそれを外部に出力するとともに、検収実績情報Ｄ１４を公開情報データベース部１４に出力する。
【００５８】
検収において進捗状態や実際原価に問題があるとした場合には、管理者と施工者の間でその問題についての交渉がなさる。また進捗状態に問題がある場合には、上述のような作業工程シミュレータ部１６による作業工程の見直しのシミュレーションが行われる。さらに検収申請された進捗状態から作業遅延や納期遅延につながる兆候があると判断された場合には上述のようにして警報が発せられる。警報が発せられた場合、管理者は作業遅延などを回避するための対策をとる。管理者と施工者の間での交渉が妥結すれば査定確定Ｄ１５を取引決済処理部１７入力する。
【００５９】
以上のような検収申請と検収が定期的に繰り返されながら工事が進行している間には、上述のように、情報公開部４により管理者、施工者、工事の最終顧客に対して工事に関する情報が公開される。公開する情報は、いずれもイメージ的可視化情報の基になるＣＡＤモデルを含む工事進捗状態情報Ｄ１９や検収／作業工程予測／実績情報Ｄ２０である。このような情報を公開して管理者、施工者、工事の最終顧客の間で工事に関する重要な情報を共有できるようにすることで、出来高管理やそれに伴う交渉などをよりスムースに行えるようになる。
【図面の簡単な説明】
【００６０】
【図１】一実施形態による出来高管理システムの構成を示す図である。
【図２】ＣＡＤモデル／作業工程リンク処理部の構成を示す図である。
【図３】出来高管理システムで扱われる電子ファイルの構成例を示す図である。
【符号の説明】
【００６１】
１    出来高管理システム
２１    工事進捗状態データ作成部
３２    リンク処理部
Ｄ３    ＣＡＤモデル・作業工程リンクデータ（ＣＡＤモデル包含データ）
Ｄ６    検収申請ファイル
Ｄ１６    工事進捗状態データ
Ｄ１７    ＣＡＤモデルベース工事進捗状態データ
【図１】
2007328434.tif 000003
【図２】
2007328434.tif 000004
【図３】
2007328434.tif 000005